(57)【特許請求の範囲】
【請求項１】
タワークレーンのマストと支柱とで支持された仮設屋根の下側にタワークレーンのジブを位置させて建物を構築し、前記マストに代わる仮設部材で仮設屋根を支持した後に、マストを仮設屋根から分離し、該仮設屋根の上側にジブを上昇させて仮設屋根を解体すること、
を特徴とする建物の構築方法。
【請求項２】
タワークレーンのマストは回転機構を介して仮設屋根を支持すること、
を特徴とする請求項１に記載の建物の構築方法。
【請求項３】
タワークレーンのマストの上部に回転機構を介して設置した梁材で仮設屋根を支持すること、
を特徴とする請求項２に記載の建物の構築方法。
【発明の詳細な説明】
【０００１】
【発明の属する技術分野】
本発明は建物の構築方法に関するものである。
【０００２】
【従来の技術】
従来、仮設屋根を利用した建物の構築方法は、図１７に示すように、仮設屋根２０の下面に設置した天井走行クレーン２１と、上面に設置したジブクレーン２２と、建物の側面に設置した垂直搬送装置２３とによって行われていた。
【０００３】
【発明が解決しようとする課題】
しかし、上記のような構築方法においては、仮設屋根をクレーンの重さに耐え得る強さにする必要があるため、重量が過大になるという問題があった。またジブクレーンが設置された仮設屋根を解体するには別の重機が必要であった。
【０００４】
本発明は上記のような問題に鑑みてなされたものであり、その目的は、解体が簡単な仮設屋根を利用した建物の構築方法を提供することである。
【０００５】
【課題を解決するための手段】
上記の課題を解決するため手段は、タワークレーンのマストと支柱とで支持された仮設屋根の下側にタワークレーンのジブを位置させて建物を構築し、前記マストに代わる仮設部材で仮設屋根を支持した後に、マストを仮設屋根から分離し、該仮設屋根の上側にジブを上昇させて仮設屋根を解体することである。
更に、前記タワークレーンのマストは回転機構を介して仮設屋根を支持すること、また、前記タワークレーンのマストの上部に回転機構を介して設置した梁材で仮設屋根を支持すること、更に、タワークレーンのマストを仮設屋根の外側に配置すること、を含むものである。
【０００６】
仮設屋根の下でジブが自由に旋回できるので、安定した作業工程による工期の短縮と、品質の高い建物が構築できるとともに、該建物の構築後にタワークレーンによって仮設屋根を解体することができる。タワークレーンのマストを仮設屋根の外側に設置したことにより、仮設屋根の上側にジブを簡単に上昇させることができる。仮設屋根内に設置したタワークレーンのジブを、開閉機構によって仮設屋根の上側へ上昇させることができる。タワークレーンのマストの上部に回転機構を介して設けた梁材で仮設屋根を支持することができる。タワークレーンのマストで仮設屋根を支持することができるとともに、該仮設屋根をタワークレーンで解体することができる。仮設屋根の支柱をジブの旋回範囲外に設置したことにより、仮設屋根の下でジブを自由に旋回させることができ、施工の効率化を図ることができる。
【０００７】
【発明の実施の形態】
以下、本発明の建物の構築方法の実施の形態を図面に基づいて詳細に説明するが、各実施の形態において同じ構成は同じ符号を付して説明し、異なる構成にのみ異なった符号を付して説明する。
【０００８】
図１〜４は、第１の実施の形態の建物の構築方法（以下、構築方法という）を示したものである。はじめに、図１の（１）に示すように、建物が構築される敷地に設置された二機の水平ジブ型タワークレーン（以下、クレーンという）３で仮設屋根１を構築する。この状態でクレーンのマスト６は仮設屋根１の外側に設置され、該仮設屋根１がクレーンのジブ２の旋回範囲外に設置した支柱４で支持されている。これらのジブ２は、二本一組で全体をカバーできるように、上下にずれた状態で旋回できるようになっている。また仮設屋根１を支持する支柱４とマスト６とは、図２に示すような、自己伸長型のものであり、建物の立ち上がりに伴って伸長できるようになっている。よって、図３に示すように、マストユニット７ａが継ぎ足されたガイドマスト７を昇降マスト８が油圧シリンダー９で上昇して、仮設屋根１とジブ２とを上昇させる。
【０００９】
次に、図４の（１）に示すように、マスト６を縮めてジブ２を仮設屋根１の下側に移動させるか、仮設屋根１を上昇させてクレーン３の上部にくるようにする。次に、同図の（２）に示すように、このクレーン３によって、仮設屋根１の外側で吊り上げた建材を内側に水平運搬して建物５を構築し、該建物５の立ち上がりに伴って仮設屋根１とクレーン３とを順次上昇させる。
【００１０】
次に、同図の（３）に示すように、仮設屋根１の内側で建物５が完成した後、仮設屋根１の長辺方向に沿ってジブ２を回転させる。そして、このままの状態でマスト６を伸ばすとジブ２が仮設屋根１の上側に上昇される。次に、このクレーン３により仮設屋根１を解体するが、ジブ２の届かない範囲Ｍは仮設屋根１上を作業足場として、どちらかのジブ２を延長して解体する（図示せず）。このように仮設屋根１を解体した後、クレーン３自体もクライムダウンして地上の他のクレーンにより解体する。よって、仮設屋根１の下で質の高い建物５を構築することができるとともに、仮設屋根１を解体作業の足場として利用することもできる。
【００１１】
図５は、第２の実施の形態の構築方法を示し、仮設屋根１の端部を開閉機構１ａにより開放自在にして、ここからクレーン３を上昇させるものである。はじめに、（１）に示すように、仮設屋根１の内側に設置したクレーン３を用いて建物５を構築する。そして、この建物５の完成後に、（２）に示すように、仮設屋根１の長さ方向に沿ってジブ２を回転させるとともに、クレーン３が位置する仮設屋根１の端部を開放する。そして、ここから仮設屋根１の上側にジブ２を上昇させ、前記と同じ方法で仮設屋根１およびクレーン３自体を順次解体する。
【００１２】
図６および７は、第３の実施の形態の構築方法を示し、仮設屋根１の中央部を開閉機構１ａで開放自在にして、ここからクレーン３を上昇させるものである。
これも前記と同様に、建物５の完成後に仮設屋根１を仮支柱１０で支えて中央部を開放し、ここから仮設屋根１の上側にジブ２を上昇させる。クレーンのジブ２を支柱４に届く範囲まで延長した後に、図８に示すように、クレーン３によって支柱４上部にクレーン３ａを設置する。仮設屋根１の解体はクレーン３ａの構築前であっても、構築後であってもよい。クレーン３、３ａの上下関係を入れ替えて、クレーン３ａによって建物に設置されたクレーン３を解体するとともに、前記クレーン３ａ自体もクライムダウンして地上の他のクレーンにより解体する。
【００１３】
図９は、第４の実施の形態の構築方法を示し、仮設屋根１の中央部を支柱１０によらない他の方法で開放して、ここからクレーン３を上昇させるものである。
これは建物５の完成後に仮設屋根１を仮支柱１０またはその他の方法で補強して中央部を開放し、ここから仮設屋根１の上側にジブ２を上昇させ、前記と同じ方法で仮設屋根１を解体する。そして、この仮設屋根１を解体した後に、図８に示す方法でクレーン３、３ａを解体する。
【００１４】
図１０は、第５の実施の形態の構築方法を示し、支柱４とマスト６とで支持した仮設屋根１の下で建物５を構築するものである。はじめに、（１）に示すように、支柱４と、ジブ２の上部から突出させたマスト６とで支持した仮設屋根１を構築する。このときジブ２は仮設屋根１の下側に位置する。そして、建物５の立ち上がりに伴って支柱４およびマスト６を伸ばして仮設屋根１とジブ２とを上昇させる。次に、同図の（２）に示すように、建物５の完成後にマスト６に代わる仮支柱１０で仮設屋根１を支持してクレーン３を切断分離する。そして、前記と同じ方法で仮設屋根１の上側にジブ２を上昇させて、仮設屋根１、支柱４、仮支柱１０およびクレーン３自体を順次解体する。
【００１５】
図１１および１２は、第６の実施の形態の構築方法を示し、マスト６に設けた梁材１２と、支柱４とで支持した仮設屋根１の下で建物５を構築するものである。はじめに、図１１の（１）に示すように、マスト６の上部に回転機構１１を介して設置した梁材１２と、ジブ２の旋回範囲外に設置された支柱４とで支持する仮設屋根１を構築する。このときジブ２は仮設屋根１の下側に位置する。次に、図１２の（１）に示すように、建物５の立ち上がりに伴って支柱４およびマスト６を伸ばして仮設屋根１とジブ２とを上昇させる。そして、この建物５の完成後に、同図の（２）に示すように、梁材１２に代わる仮支柱１０で仮設屋根１を支持した後、梁材１２を切断してクレーン３を分離する。そして、前記と同じ方法で仮設屋根１の上側にジブ２を上昇させて、仮設屋根１、支柱４、仮支柱１０およびクレーン３自体を順次解体する。
【００１６】
図１３は、第７の実施の形態の構築方法を示し、仮設屋根１の支柱４とマスト６とを利用した外壁用足場１３を用いて建物を構築するものである。はじめに、図７の（１）に示すように、仮設屋根１の下側に構築した建物５の周りに外壁用足場１３を形成し、これを壁繋ぎ１４で壁面１５に固定する。そして、この外壁用足場１３を用いて外壁工事を行うとともに、該建物５の立ち上がりに伴って仮設屋根１、ジブ２および外壁用足場１３を上昇させる。そして、この建物５の完成後に、第３の実施の形態と同じ方法で、仮設屋根１などを解体する。
【００１７】
図１４は、第８の実施の形態の構築方法を示し、前記の仮設屋根１に代わる本設屋根、または仮設屋根を含む屋根材１６を支柱４に設け、この屋根材１６の下で躯体１７を構築するものである。はじめに、（１）に示すように、屋根材１６の下側に躯体１７を構築する。そして、この躯体１７の完成後、（２）に示すように、屋根材１６に沿ってジブ２を回転させて上昇させる。次に、（３）に示すように、支柱４をクライムダウンさせて、躯体１７の頂部に本設屋根として設置して建物５を完成させる。この建物５の完成後は、前記と同様の方法でクレーン自体３を解体する。クレーン３によって屋根材１を部分的に解体して建物５の上部に再構築することも可能である。
【００１８】
図１５は、異なる形状の建物の構築に本発明を適用したものであり、どのような形状の建物であっても対応することができる。
【００１９】
図１６は、ジブ２が伸縮自在になったクレーン３を示したものであり、同図の（３）に示すように（最大旋回半径および最小旋回半径）、旋回半径を自由に変えることができるので、仮設屋根１の設置位置の自由度を高めることができる。
このクレーン３は第１〜６の実施の形態の構築方法や、図１５に示す構築方法にも適用することができる。
【００２０】
なお、上記の実施の形態の構築方法は、二機のクレーン３を使用した場合について説明したが、クレーン３が一機または三機以上の場合でも適用することができる。
【００２１】
【発明の効果】
仮設屋根の下でジブが自由に旋回できるので、安定した作業工程による工期の短縮と、品質の高い建物が構築できるとともに、該建物の構築後にタワークレーンによって仮設屋根を解体することができる。
【００２２】
タワークレーンにより仮設屋根を構築することができる。
【００２３】
タワークレーンのマストを仮設屋根の外側に設置したことにより、仮設屋根の上側にジブを簡単に上昇させることができる。
【００２４】
仮設屋根内に設置したタワークレーンのジブを、仮設屋根の開放部から上側に上昇させることができる。
【００２５】
仮設屋根内に設置したタワークレーンのジブを開閉機構によって仮設屋根の上側へ上昇させることができる。
【００２６】
タワークレーンのマストで仮設屋根を支持することができるとともに、該仮設屋根をタワークレーンで解体することができる。
【００２７】
仮設屋根を作業足場にしたことにより、仮設屋根の解体効率を高めることができる。
【００２８】
仮設屋根が解体された支柱をクレーンのマストとして利用することができる。
【００２９】
タワークレーンのマストの上部に回転機構を介して設けた梁材で仮設屋根を支持することができる。
【００３０】
仮設屋根の支柱をジブの旋回範囲外に設置したことにより、仮設屋根の下でジブを自由に旋回させることができ、施工の効率化を図ることができる。
【００３１】
ジブが前後に伸縮するので、旋回半径を自由に変えることができる。
【００３２】
仮設屋根の支柱とマストとを利用して外壁用足場を形成することができる。
【００３３】
外壁用足場を壁繋ぎで壁面に固定することができる。
【００３４】
屋根材を本設屋根にすることができる。
仮設屋根の下でジブが自由に旋回できるので、安定した作業工程による工期の短縮と、品質の高い建物が構築できるとともに、該建物の完成後にクレーンにより仮設屋根を解体することができる。
【００３５】
屋根材を本設屋根にすることができる。
【００３６】
回転機構を介してマスト上部に設けた梁材で仮設屋根を支持することができる。
【００３７】
仮設屋根の支柱とマストとを利用して外壁用足場を形成することができる。
【００３８】
外壁用足場を壁繋ぎで壁面に固定することができる。
【００３９】
マストを仮設屋根の外側に設置したことにより、ジブを仮設屋根の上側に簡単に上昇させることができる。
【００４０】
マストで仮設屋根を支持することができるとともに、該仮設屋根をクレーンで解体することができる。
【００４１】
仮設屋根の下側に位置したジブを、仮設屋根の開放部から上側に上昇させることができる。
【００４２】
仮設屋根の下側に位置したジブを、開閉機構によって仮設屋根の上側へ上昇させることができる。
【００４３】
仮設屋根の支柱をクレーンのマストとして利用することができる。
【００４４】
仮設屋根の支柱をジブの旋回範囲外に設置したことにより、仮設屋根の下でジブを自由に旋回させることができ、施工の効率化を図ることができる。
【００４５】
仮設屋根を作業足場にしたことにより、仮設屋根の解体効率を高めることができる。
【００４６】
ジブが前後に伸縮するので、旋回半径を自由に変えることができる。
【図面の簡単な説明】
【図１】（１）は第１の実施の形態の構築方法における仮設屋根の正面図、（２）は同平面図である。
【図２】（１）はマストまたは支柱の正面図、（２）は同断面図である。
【図３】（１）〜（３）はマストまたは支柱の昇降を示す作動図である。
【図４】（１）〜（３）は第１の実施の形態の構築方法を示す工程図である。
【図５】（１）〜（３）は第２の実施の形態の構築方法を示す工程図である。
【図６】（１）は第３の実施の形態の構築方法における仮設屋根の正面図、（２）は同平面図である。
【図７】（１）および（２）は第３の実施の形態の構築方法を示す工程図である。
【図８】（１）は仮設屋根、支柱およびマストの解体を示す正面図、（２）および（３）は同平面図である。
【図９】（１）および（２）は第４の実施の形態の構築方法を示す工程図である。
【図１０】（１）および（２）は第５の実施の形態の構築方法を示す工程図、（３）は同平面図である。
【図１１】（１）は第６の実施の形態の構築方法における仮設屋根の正面図、（２）は同平面図である。
【図１２】（１）および（２）は第６の実施の形態の構築方法を示す工程図である。
【図１３】（１）は第７の実施の形態の構築方法における仮設屋根の正面図、（２）および（３）は同平面図である。
【図１４】（１）〜（３）は第８の実施の形態の構築方法を示す工程図である。
【図１５】（１）〜（３）は形状が異なる建物に対応した平面図である。
【図１６】（１）および（２）は伸縮自在なジブを備えたクレーンの正面図、（３）は同平面図である。
【図１７】従来の構築方法を示す仮設屋根の正面図である。
【符号の説明】
１、２０  仮設屋根
１ａ  開閉機構
２  ジブ
３、３ａ  クレーン
４  支柱
５  建物
６  マスト
７  ガイドマスト
７ａ  マストユニット
８  昇降マスト
９  油圧シリンダー
１０  仮支柱
１１  回転機構
１２  梁材
１３  外壁用足場
１４  壁繋ぎ
１５  壁面
１６  屋根材
１７  躯体
２１  天井走行クレーン
２２  ジブクレーン
２３  垂直搬送装置
【図１】
0004571760.tif 000002
【図２】
0004571760.tif 000003
【図３】
0004571760.tif 000004
【図４】
0004571760.tif 000005
【図５】
0004571760.tif 000006
【図６】
0004571760.tif 000007
【図７】
0004571760.tif 000008
【図８】
0004571760.tif 000009
【図９】
0004571760.tif 000010
【図１０】
0004571760.tif 000011
【図１１】
0004571760.tif 000012
【図１２】
0004571760.tif 000013
【図１３】
0004571760.tif 000014
【図１４】
0004571760.tif 000015
【図１５】
0004571760.tif 000016
【図１６】
0004571760.tif 000017
【図１７】
0004571760.tif 000018